(57)【要約】      （修正有）【課題】対物レンズ、カップリングレンズの共通化を図りつつ、異なる光情報記録媒体に対して情報の記録／再生を行える光ピックアップ装置を提供する。【解決手段】（３）式を満たす材料から前記カップリングレンズと対物レンズとを形成したときに、（１）式を満たすように、（ΔfBOBL//fOBL2）と、（ΔfBCPL/fCPL2）との組み合わせを決定し、更に（２）式を満たすように、ΔfBOBL/fOBL2を決定することで、波長λ１の光束についての色収差と、波長λ２の光束についての色収差とをバランス良く補正する。−０．０１６≦（ΔfBOBL/fOBL2）+（ΔfBCPL/fCPL2）≦−０．０１（１）０．０５２≦ΔfBOBL/fOBL2≦０．１（２）５０≦νｄOBL≦６５（３Ａ）  ５０≦νｄCPL≦６５（３Ｂ）【選択図】図１
2007265585.tif 000002
【特許請求の範囲】
【請求項１】
波長λ１（ｎｍ）の光束を出射する第１光源と、波長λ２（ｎｍ）（λ１＜λ２）の光束を出射する第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっていると共に、前記集光光学系が、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記カップリングレンズは、前記波長λ１の光束が通過し且つ前記波長λ２の光束が通過する一面に第１回折構造を有し、
以下の（１）、（２）、（３Ａ）、（３Ｂ）式を満たすことを特徴とする光ピックアップ装置。
−０．０１６≦（ΔfBOBL/fOBL2）+（ΔfBCPL/fCPL2）≦−０．０１    （１）
０．０５２≦ΔfBOBL/fOBL2≦０．１                              （２）
５０≦νｄOBL≦６５                                          （３Ａ）
５０≦νｄCPL≦６５                                          （３Ｂ）
但し
ΔfBOBL：波長λ１の光に対する前記対物レンズの色収差（μm/nm）
fOBL：波長λ１の光に対する前記対物レンズの焦点距離（mm）
ΔfBCPL：波長λ１の光に対する前記カップリングレンズの色収差（μm/nm）
fCPL：波長λ１の光に対する前記カップリングレンズの焦点距離（mm）
νｄOBL：前記対物レンズの材料のｄ線に対する分散
νｄCPL：前記カップリングレンズの材料のｄ線に対する分散
【請求項２】
前記第１回折構造の光軸方向の平均段差量ｄＣＰＬ（μm）が、以下の（４）式を満たすことを特徴とする請求項１に記載の光ピックアップ装置。
λ１×２／（ｎ１−１）×１．０≦ｄＣＰＬ≦λ１×２／（ｎ１−１）×１．３          （４）
但し
ｎ１：前記第１回折構造を形成する材料における前記波長λ１の光に対する屈折率
【請求項３】
波長λ３（λ２＜λ３）の光束を出射する第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっており、
前記対物レンズは、前記波長λ１の光束が通過し且つ前記波長λ２の光束が通過し且つ前記波長λ３の光束が通過する一面に第２回折構造を有し、前記第２回折構造の光軸方向の平均段差量ｄＯＢＪ（μm）が、以下の（５）式を満たすことを特徴とする請求項１又は２に記載の光ピックアップ装置。
λ１×２／（ｎ２−１）×１．０≦ｄＯＢＬ≦λ１×２／（ｎ２−１）×１．３          （５）
但し
ｎ２：前記第２回折構造を形成する材料における前記波長λ１の光に対する屈折率
【請求項４】
以下の（６）式を満たし、前記カップリングレンズは、前記第１光情報記録媒体に対する情報の記録又は再生時に配置される光軸方向の位置と、前記第２光情報記録媒体に対する情報の記録又は再生時に配置される光軸方向の位置とが異なることを特徴とする請求項１〜３のいずれかに記載の光ピックアップ装置。
０≦｜L１−L２｜≦０．５    （６）
但し、
Ｌ１：前記第１光源から前記第１光情報記録媒体の光源側面までの光路長Ｌ１（ｍｍ）
Ｌ２：前記第２光源から前記第２光情報記録媒体の光源側面までの光路長Ｌ２（ｍｍ）
【請求項５】
前記対物レンズは、以下の（７）式を満たす単レンズであることを特徴とする請求項１，２，４のいずれかに記載の光ピックアップ装置。
１．８≦fOBL ≦３．５          （７）
【請求項６】
前記カップリングレンズは、２つの光学素子を含むことを特徴とする請求項１〜５のいずれかに記載の光ピックアップ装置。
【発明の詳細な説明】
【技術分野】
【０００１】
本発明は、光ピックアップ装置に関し、特に異なる光情報記録媒体に対して互換可能に情報の記録及び／又は再生を行える光ピックアップ装置に関する。
【背景技術】
【０００２】
近年、波長４００ｎｍ程度の青紫色半導体レーザを用いて、情報の記録及び／又は再生（以下、「記録及び／又は再生」を、「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。以下、本明細書では、このような光ディスクを「高密度光ディスク」と呼ぶ。
【０００３】
一方、高密度光ディスクに対してのみ情報の記録／再生ができると言うだけでは、光ディスクプレーヤやレコーダといった製品（以下、光ディスクプレーヤ／レコーダという）としての価値は十分なものとはいえない場合がある。現在において、多種多様な情報を記録したＤＶＤやＣＤ（コンパクトディスク）が販売されている現実をふまえると、例えばユーザが所有しているＤＶＤやＣＤに対しても同様に適切に情報の記録／再生ができるようにすることが、高密度光ディスク用の光ディスクプレーヤ／レコーダとしての商品価値を高める。このような背景から、高密度光ディスク用の光ディスクプレーヤ／レコーダ等に搭載される光ピックアップ装置は、高密度光ディスクとＤＶＤやＣＤに対しても適切に情報を記録／再生できる性能を有することが望まれる。
【０００４】
ここで、高密度光ディスクとＤＶＤやＣＤに対しても互換性を維持しながら適切に情報を記録及び／又は再生できるようにする手法として、高密度光ディスク用の光学系とＤＶＤやＣＤ用の光学系とを情報を記録及び／又は再生する光ディスクの記録密度に応じて選択的に切り替えるものが考えられるが、複数の光学系が必要となるので、小型化に不利であり、またコストが増大する。
【０００５】
そこで、光ピックアップ装置の構成を簡素化し低コスト化を図るために、互換性を有する光ピックアップ装置においても、高密度光ディスク用の光学系とＤＶＤやＣＤ用の光学系とを可能な限り共通化して、光ピックアップ装置を構成する光学部品点数を極力減らすのが好ましいといえる。又、光ディスクに対向して配置される対物光学系を共通化することが光ピックアップ装置の構成の簡素化、低コスト化に最も有利となる。加えて、光ディスクからの反射光を受光する光検出器を共通化したいという要求もある。
【０００６】
これに対し、特許文献１においては、ＤＶＤ用の光束とＣＤ用の光束とが共通して通過する光路中に発散角変換素子を挿入することで対物レンズを共通化した光ピックアップ装置が開示されている。
【特許文献１】特開２００５−１４１８００号公報
【発明の開示】
【発明が解決しようとする課題】
【０００７】
光ピックアップ装置は、用途により装置に含まれる光学系に必要な性能が異なる。色収差補正もそれであり、特に高密度光ディスクやＤＶＤにおいて、再生専用には不要でも記録を行うには必要となる。ここで、特許文献１の光ピックアップ装置においては、発散角変換素子において回折構造を設けることで、高密度光ディスク及びＤＶＤ使用時の色収差を小さく抑えている。通常、波長域により材料の分散が異なることで高密度光ディスクとＤＶＤとで生じる色収差量は異なっている。しかるに、特許文献１の光ピックアップ装置では、高密度光ディスク用の光束が通過するカップリングレンズが、ＤＶＤ／ＣＤ用の光束が通過するカップリングレンズとは異なることを利用し、それぞれの色収差量に応じて個別のカップリングレンズで色収差の補正を行うことができる。これに対し、コスト低減等のためにカップリングレンズを共通に用いた場合、どのようにして色収差の補正を両立するかという問題がある。
【０００８】
本発明は、かかる従来技術の問題点に鑑みてなされたものであり、対物レンズ、カップリングレンズの共通化を図りつつ、異なる光情報記録媒体に対して適切に情報の記録／再生を行える光ピックアップ装置を提供することを目的とする。
【課題を解決するための手段】
【０００９】
請求項１に記載の光ピックアップ装置は、波長λ１（ｎｍ）の光束を出射する第１光源と、波長λ２（ｎｍ）（λ１＜λ２）の光束を出射する第２光源と、カップリングレンズ及び対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっていると共に、前記集光光学系が、前記第２光源からの光束を、厚さｔ２（ｔ１≦ｔ２）の保護層を介して第２光情報記録媒体の情報記録面に集光させることによって、情報の記録及び／又は再生を行うことが可能となっている光ピックアップ装置であって、
前記カップリングレンズは、前記波長λ１の光束が通過し且つ前記波長λ２の光束が通過する一面に第１回折構造を有し、
以下の（１）、（２）、（３Ａ）、（３Ｂ）式を満たすことを特徴とする。
−０．０１６≦（ΔfBOBL/fOBL2）+（ΔfBCPL/fCPL2）≦−０．０１       （１）
０．０５２≦ΔfBOBL/fOBL2≦０．１                                （２）
５０≦νｄOBL≦６５                                           （３Ａ）
５０≦νｄCPL≦６５                                           （３Ｂ）
但し
ΔfBOBL：波長λ１の光に対する前記対物レンズの色収差（μm/nm）
fOBL：波長λ１の光に対する前記対物レンズの焦点距離（mm）
ΔfBCPL：波長λ１の光に対する前記カップリングレンズの色収差（μm/nm）
fCPL：波長λ１の光に対する前記カップリングレンズの焦点距離（mm）
νｄOBL：前記対物レンズの材料のｄ線に対する分散
νｄCPL：前記カップリングレンズの材料のｄ線に対する分散
【００１０】
ここで、各光情報記録媒体における集光スポット上の色収差を補正するためには、集光光学系の全体で色収差が補正されていれば良く、個々の光学素子の色収差は問わないという実情がある。かかる場合、波長λ１の光束について色収差を補正しようとする場合、カップリングレンズにおける回折構造の色収差補正と、対物レンズにおける例えば回折構造の色収差補正（補正量がゼロの場合、即ち色収差補正用の回折構造を持たない場合を含む）とを組み合わせることで、集光光学系の全体の色収差を抑えることができる。尚、「カップリングレンズ」とは、第１光源から対物レンズまでの光路中であって、且つ第２光源から対物レンズまでの光路中に配置される集光機能を有する光学素子を指す。又、「集光光学系」とは、光源から光情報記録媒体までの集光機能を有する光学系をいい、戻り光路における光検出器の手前の集光光学素子（光源からの光束が通過しない）は含まない。
【００１１】
ここで、本発明者は、波長λ１の光に対する集光光学系全体の色収差を抑えるのに適したカップリングレンズと対物レンズの組み合わせが幾通りか生じた場合に、各光学系により波長λ２の光束に対する色収差が異なることから、波長λ１の光束における色収差と波長λ２の光束における色収差との差を小さくする（又は一致させる）ためには、前記カップリングレンズの回折構造における色収差補正のための回折パワーを大きくし、且つ前記対物レンズの色収差補正のための回折パワーを小さく（又はゼロ）にすればよいことを見出し、本発明を成しえたのである。即ち、本発明によれば、（３Ａ）、（３Ｂ）式を満たす材料から前記カップリングレンズと前記対物レンズとを形成したときに、（１）式を満たすように、（ΔfBOBL//fOBL2）と、（ΔfBCPL/fCPL2）との組み合わせを決定することで波長λ１の光に対する合成系の色収差を補正し、更に（２）式を満たすように、ΔfBOBL/fOBL2を決定することで、波長λ２の光束についての色収差を補正することができるのである。これは、特に前記第２光情報記録媒体に対して情報の記録が可能な光ピックアップ装置において有効となる。尚、前記集光光学系全体の色収差ΔｆＢの絶対値は、０．１５μｍ／ｎｍ以下に抑えられると好ましい。又、対物レンズの焦点距離によっては、色収差補正のための回折構造を設けることが望ましい。
【００１２】
請求項２に記載の光ピックアップ装置は、請求項１に記載の発明において、前記第１回折構造の光軸方向の平均段差量ｄＣＰＬ（μm）が、以下の（４）式を満たすことを特徴とする。
λ１×２／（ｎ１−１）×１．０≦ｄＣＰＬ≦λ１×２／（ｎ１−１）×１．３          （４）
但し
ｎ１：前記第１回折構造を形成する材料における前記波長λ１の光に対する屈折率
【００１３】
（４）式を満たすように前記第１回折構造を設計すれば、かかる第１回折構造を通過したときに、第１光情報記録媒体が高密度光ディスク、第２光情報記録媒体がＤＶＤのときは、波長λ１の光束は２次回折光が最も強度が高まり、波長λ２の光束は１次回折光が最も強度が高まり、第１光情報記録媒体がＤＶＤ、第２光情報記録媒体がＣＤのときは、波長λ１の光束は１次回折光が最も強度が高まり、波長λ２の光束は１次回折光が最も強度が高まるので、低次の回折光を用いることで、いずれの波長においても光の利用効率が高く、波長、温度変化による回折効率変動を小さくすることができる。なお、平均段差量ｄＣＰＬは、前記カップリングレンズにおいて、回折構造の全ての段差量の平均値を指す。つまり、前記カップリングレンズに形成されている段差量の総和を、段差の数で割った値となる。また、前記カップリングレンズは基準使用状態で光線が通過しない領域にも回折構造が形成されている。前記カップリングレンズは固定されているが、前記対物レンズがトラッキングした場合においても、前記対物レンズの絞り内の全領域に光を入射させるためである。従って、前記カップリングレンズの全ての回折構造を当該第１回折構造とするのが望ましい。
【００１４】
請求項３に記載の光ピックアップ装置は、請求項１又は２に記載の発明において、波長λ３（λ２＜λ３）の光束を出射する第３光源を有し、前記集光光学系が、前記第３光源からの光束を、厚さｔ３（ｔ２＜ｔ３）の保護層を介して第３光情報記録媒体の情報記録面に集光させることによって、情報の記録及び／又は再生を行うことが可能となっており、
前記対物レンズは、前記波長λ１の光束が通過し且つ前記波長λ２の光束が通過し且つ前記波長λ３の光束が通過する一面に第２回折構造を有し、前記第２回折構造の光軸方向の平均段差量ｄＯＢＪ（μm）が、以下の（５）式を満たすことを特徴とする。
λ１×２／（ｎ２−１）×１．０≦ｄＯＢＬ≦λ１×２／（ｎ２−１）×１．３          （５）
但し
ｎ２：前記第２回折構造を形成する材料における前記波長λ１の光に対する屈折率
【００１５】
（５）式を満たすように前記第２回折構造を設計すれば、かかる第２回折構造を通過したときに、第１光情報記録媒体が高密度光ディスク、第２光情報記録媒体がＤＶＤのときは、波長λ１の光束は２次回折光が最も強度が高まり、波長λ２の光束は１次回折光が最も強度が高まり、第１光情報記録媒体がＤＶＤ、第２光情報記録媒体がＣＤのときは、波長λ１の光束は１次回折光が最も強度が高まり、波長λ２の光束は１次回折光が最も強度が高まるので、低次の回折光を用いることで、いずれの波長においても光の利用効率が高く、波長、温度変化による回折効率変動を小さくすることができる。なお、平均段差量ｄＯＢＪは、請求項１を満たす波長の光が共通して通過する領域に形成されている回折構造の段差量の平均値を指す。波長λ３の光が請求項１を満たさない場合には、平均段差量ｄＯＢＪは波長λ１とλ２の光が共通して通過する領域の回折構造段差量平均値となり、満たす場合には、３つの波長が共通して通過する領域の回折構造段差量平均値となる。
【００１６】
請求項４に記載の光ピックアップ装置は、請求項１〜３のいずれかに記載の発明において、以下の（６）式を満たし、前記カップリングレンズは、前記第１光情報記録媒体に対する情報の記録又は再生時に配置される光軸方向の位置と、前記第２光情報記録媒体に対する情報の記録又は再生時に配置される光軸方向の位置とが異なることを特徴とする請求項１〜３のいずれかに記載の光ピックアップ装置。
０≦｜L１−L２｜≦０．５    （６）
但し、
Ｌ１：前記第１光源から前記第１光情報記録媒体の光源側面までの光路長Ｌ１（ｍｍ）
Ｌ２：前記第２光源から前記第２光情報記録媒体の光源側面までの光路長Ｌ２（ｍｍ）
【００１７】
本発明によれば、前記カップリングレンズを、前記第１光情報記録媒体の情報の記録及び／又は再生時と、前記第２の光情報記録媒体の情報記録及び／又は再生時とで、光軸方向の位置が異なるようにすることで、光情報記録媒体（光源側面）から等距離にある光源からの光を、（２）式の対物レンズの光学系倍率差に応じた発散角の異なる光として出射することができる。従って、（１）式を満たすように、各光源から、それに対応する光情報記録媒体の前記対物レンズ側の面までの光路長をほぼ一致させれば、第１光情報記録媒体からの反射光と第２光情報記録媒体からの反射光とを、同じ光検出器に受光させることができ、部品の共通化が図れる。
【００１８】
請求項５に記載の光ピックアップ装置は、請求項１，２，４のいずれかに記載の発明において、前記対物レンズは、以下の（７）式を満たす単レンズであることを特徴とする。
１．８≦fOBL ≦３．５          （７）
【００１９】
請求項６に記載の光ピックアップ装置は、請求項１〜５のいずれかに記載の発明において、前記カップリングレンズは、２つの光学素子を含むことを特徴とするので、前記光学素子間でパワーを振り分けることにより互換使用のための移動距離が小さくなり、光ピックアップ装置をコンパクト、省電力にすることができる。
【００２０】
本明細書中において、対物レンズとは、光ピックアップ装置に光情報記録媒体を装填した状態において、最も光情報記録媒体側の位置で、これと対向すべく配置される集光作用を有するレンズ及び、そのレンズを駆動するアクチュエータに取り付けられて、そのレンズと共に一体的に駆動される集光作用を有する光学素子又はレンズを有する場合には、それら光学素子又はレンズを含めた光学素子群をさすものとする。つまり、対物レンズは、好ましくは単玉のレンズであるが、複数のレンズや複数の光学素子からなっていても良い。
【発明の効果】
【００２１】
本発明によれば、対物レンズ、カップリングレンズの共通化を図りつつ、異なる光情報記録媒体に対して適切に情報の記録／再生を行える光ピックアップ装置を提供することができる。
【発明を実施するための最良の形態】
【００２２】
以下、本発明の実施の形態を図面を参照して説明する。図１は、異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。かかる光ピックアップ装置ＰＵ１は、光情報記録再生装置に搭載できる。
【００２３】
光ピックアップ装置ＰＵ１は、高密度光ディスクであるＨＤに対して情報の記録／再生を行う場合に発光されλ１＝４０６ｎｍの青紫色レーザ光束（第１光束）を射出する第１半導体レーザ（第１光源）ＬＤ１、ＤＶＤに対して情報の記録／再生を行う場合に発光されλ２＝６６０ｎｍの赤色レーザ光束（第２光束）を射出する第２半導体レーザ（第２光源）ＬＤ２、ＣＤに対して情報の記録／再生を行う場合に発光されλ３＝７８３ｎｍの赤外レーザ光束（第３光束）を射出する第３半導体レーザ（第３光源）ＬＤ３、ＨＤ／ＤＶＤ／ＣＤ共用の光検出器ＰＤ、カップリングレンズＣＵＬ、入射したレーザ光束を光ディスクの情報記録面上に集光させる機能を有し、所定の回折構造を有すると共にプラスチック製で単玉である対物レンズＯＢＪ、分岐手段である偏光ビームスプリッタＰＢＳ、第１ダイクロイックプリズムＤＰ１，第２ダイクロイックプリズムＤＰ２、λ／４波長板ＱＷＰ、光ディスクの反射光束に対して非点収差を付加するためのセンサーレンズＳＮとから構成されている。尚、ＨＤ用の光源として、上述の半導体レーザＬＤ１の他に青紫色ＳＨＧレーザを使用することもできる。
【００２４】
本実施の形態において、カップリングレンズＣＵＬは、凹レンズＬＳ１と凸レンズＬＳ２とからなり、使用する光ディスクに応じて凹レンズＬＳ２が光軸方向に変位可能に設けられていて、光軸方向の位置を変えることで、入射光束の波長に応じて出射角を変更するようになっている。又、凹レンズＬＳ２の光学面に回折構造が形成されている。又、第１半導体レーザＬＤ１と、ＨＤの光源側の面との間の光路長Ｌ１、第２半導体レーザＬＤ２と、ＤＶＤの光源側の面との間の光路長Ｌ２、第３半導体レーザＬＤ３と、ＣＤの光源側の面との間の光路長Ｌ３は、互いに等しいか、又はその差が０．５ｍｍ以下である。
【００２５】
光ピックアップ装置ＰＵ１において、ＨＤに対して情報の記録／再生を行う場合には、第１半導体レーザＬＤ１を発光させる。第１半導体レーザＬＤ１から射出された発散光束は、第１ダイクロイックプリズムＤＰ１、第２ダイクロイックプリズムＤＰ２、偏光ビームスプリッタＰＢＳを通過した後、カップリングレンズＣＵＬにより所定の収束光束に変換され、λ／４波長板ＱＷＰを通過し、図示しない絞りにより光束径が規制され、対物レンズＯＢＪによってＨＤの保護層を介して情報記録面上に形成されるスポットとなる。対物レンズＯＢＪは、その周辺に配置された２軸アクチュエータ（不図示）によってフォーカシングやトラッキングを行う。
【００２６】
ＨＤの情報記録面で情報ピットにより変調された反射光束は、再び対物レンズＯＢＪ及びλ／４波長板ＱＷＰを透過した後、カップリングレンズＣＵＬを透過した後、偏光ビームスプリッタＰＢＳで反射され、センサーレンズＳＮにより非点収差が付加され、光検出器ＰＤの受光面上に収束する。そして、光検出器ＰＤの出力信号を用いてＨＤに記録された情報を読み取ることができる。
【００２７】
また、光ピックアップ装置ＰＵ１において、ＤＶＤに対して情報の記録／再生を行う場合には、第２半導体レーザＬＤ２を発光させる。第２半導体レーザＬＤ２から射出された発散光束は、第１ダイクロイックプリズムＤＰ１で反射され、第２ダイクロイックプリズムＤＰ２、偏光ビームスプリッタＰＢＳを通過した後、カップリングレンズＣＵＬにより所定の無限光束又は有限光束に変換され、λ／４波長板ＱＷＰを通過し、図示しない絞りにより光束径が規制され、対物レンズＯＢＪによってＤＶＤの保護層を介して情報記録面上に形成されるスポットとなる。対物レンズＯＢＪは、その周辺に配置された２軸アクチュエータ（不図示）によってフォーカシングやトラッキングを行う。
【００２８】
ＤＶＤの情報記録面で情報ピットにより変調された反射光束は、再び対物レンズＯＢＪ及びλ／４波長板ＱＷＰを透過した後、カップリングレンズＣＵＬを透過した後、偏光ビームスプリッタＰＢＳで反射され、センサーレンズＳＮにより非点収差が付加され、光検出器ＰＤの受光面上に収束する。そして、光検出器ＰＤの出力信号を用いてＤＶＤに記録された情報を読み取ることができる。
【００２９】
また、光ピックアップ装置ＰＵ１において、ＣＤに対して情報の記録／再生を行う場合には、第３半導体レーザＬＤ３を発光させる。第３半導体レーザＬＤ３から射出された発散光束は、第２ダイクロイックプリズムＤＰ２で反射され、偏光ビームスプリッタＰＢＳを通過した後、カップリングレンズＣＵＬにより所定の発散光束に変換され、λ／４波長板ＱＷＰを通過し、図示しない絞りにより光束径が規制され、対物レンズＯＢＪによってＣＤの保護層を介して情報記録面上に形成されるスポットとなる。対物レンズＯＢＪは、その周辺に配置された２軸アクチュエータ（不図示）によってフォーカシングやトラッキングを行う。
【００３０】
ＣＤの情報記録面で情報ピットにより変調された反射光束は、再び対物レンズＯＢＪ及びλ／４波長板ＱＷＰを透過した後、カップリングレンズＣＵＬを透過した後、偏光ビームスプリッタＰＢＳで反射され、センサーレンズＳＮにより非点収差が付加され、光検出器ＰＤの受光面上に収束する。そして、光検出器の出力信号を用いてＣＤに記録された情報を読み取ることができる。尚、半導体レーザＬＤ１〜ＬＤ３は、１つのパッケージに収容されて、いわゆる３レーザ１パッケージを構成していても良い。かかる場合、ダイクロイックプリズムは不要となる。
【００３１】
（実施例） 
以下、上述した実施の形態に好適な実施例について説明する。尚、これ以降（表のレンズデータ含む）において、１０のべき乗数（例えば、２．５×１０-3）を、Ｅ（例えば、２．５Ｅ―３）を用いて表すものとする。
【００３２】
対物光学系の光学面は、それぞれ数１式に、表に示す係数を代入した数式で規定される、光軸の周りに軸対称な非球面に形成されている。 
【００３３】
【数１】
2007265585.tif 000003
【００３４】
また、回折構造（位相構造）により各波長の光束に対して与えられる光路差は、数２式の光路差関数に、表に示す係数を代入した数式で規定される。 
【００３５】
【数２】
2007265585.tif 000004
【００３６】
（実施例１）
実施例１のレンズデータを表１に示す。
【００３７】
【表１】
2007265585.tif 000005
【００３８】
（実施例２）
実施例２のレンズデータを表２に示す。
【００３９】
【表２】
2007265585.tif 000006
【００４０】
請求項に掲げた数値を表３にまとめて示す。
【００４１】
【表３】
2007265585.tif 000007
【図面の簡単な説明】
【００４２】
【図１】異なる光情報記録媒体（光ディスクともいう）であるＨＤとＤＶＤとＣＤに対して適切に情報の記録／再生を行える本実施の形態の光ピックアップ装置ＰＵ１の構成を概略的に示す図である。
【符号の説明】
【００４３】
ＣＵＬ カップリングレンズ
ＤＰ１ 第１ダイクロイックプリズム
ＤＰ２ 第２ダイクロイックプリズム
ＬＤ１ 第１の半導体レーザ
ＬＤ２ 第２の半導体レーザ
ＬＤ３ 第３の半導体レーザ
ＯＢＪ 対物レンズ
ＰＢＳ 偏光ビームスプリッタ
ＰＤ 光検出器
ＰＵ１ 光ピックアップ装置
ＱＷＰ λ／４波長板
ＳＮ センサーレンズ
【図１】
2007265585.tif 000008